【事件の表示】
　特許第３１９２９６５号「復調回路」の請求項１、２に係る特許に対する特許異議の申立てについて、次のとおり決定する。
【結　論】
　特許第３１９２９６５号の請求項１ないし２に係る特許を取り消す。
【理　由】
１．手続の経緯
　本件特許３１９２９６５号の請求項１、２の係る発明についての出願は、平成８年３月２８日に出願され、平成１３年５月２５日にその発明について特許権の設定登録がなされ、その後、沖島和子より特許異議の申立てがなされ、取消の理由が通知され、その指定期間内である平成１４年８月９日に意見書が提出されたものである。
　
２．特許異議の申立ての概要
　申立人沖島和子は、下記甲第１〜３号証を提出し、請求項１、２に係る発明の特許は、甲第１〜３号証より、特許法第２９条第２項の規定に違反してなされたものであるから、取り消すべく旨主張している。
　（１）特開平４−３６７１４０号公報（刊行物１）
　（２）特開平７−２２６６２８号公報（刊行物２）
　（３）特開平６−１８７６４６号公報（刊行物３）
　
３．請求項１、２係る発明
　本件特許３１９２９６５号の請求項１、２の係る発明（以下、「本件発明１」、「本件発明２」）は、それぞれ、特許請求の範囲の請求項１及び２に記載された事項によって特定される次のとおりものである。
　【請求項１】　ＦＭ変調された信号を入力し、その信号を基準電圧とを比較し、その比較結果の信号を出力する第１のコンパレータと、
　前記コンパレータから出力される信号のエッジを検出し、その検出したエッジの位置に所定の幅のパルスを出力するエッジ検出回路と、
　一定周期のクロック信号をカウントし、前記エッジ検出回路から出力されるパルスを入力する毎にカウント値を出力するとともにカウント値をクリアするカウンタと、
　前記カウンタから出力されるカウント値を入力して平均化するデジタルフィルタと、
　前記デジタルフィルタから出力される値の平均値を検出して出力する平均値検出回路と、
　前記デジタルフィルタから出力される値と、前記平均値検出回路から出力される平均値とを入力して比較し、その比較結果を出力する第２のコンパレータとを備え、
　前記第２のコンパレータの出力からＦＭ復調された信号を得るようにした復調回路。
　　【請求項２】　請求項１に記載の復調回路において、
　前記デジタルフィルタは、前記カウンタから出力されるカウント値を複数記憶するレジスタ、及び、前記レジスタに記憶された複数のカウント値に所定の係数を乗算し、各乗算結果を加算する演算器と備え、連続するカウント値の高周波成分を除去するようにした復調回路。
　
４．引用刊行物
４−１．刊行物１
　当審が平成１４年５月３１日付で通知した取消理由通知において刊行物１、２、３には、それぞれ以下のようなことが記載されている。
４−１．刊行物１（特開平４−３６７１４０号公報）
　「ＡＴＩＰウォブル信号をパルス波形へ変形するパルス波形整形回路と、周期測定用カウンタをクリアするための信号を発生するカウンタ・クリアパルス発生回路と、周期測定の基本クロックを発生する周期測定用基本クロック発生回路と、周期測定用基本クロックをカウントし、周期を測定するための周期測定用カウンタ回路と、該周期測定用カウンタ回路でカウントされたカウントデータをラッチするラッチ回路と、該ラッチ回路上のデータとプリセットデータの大きさを比較するためのマグニチュードコンパレータ回路と、周期比較のためのプリセットをセットするプリセット回路とから成り、ＦＭ信号の１波長毎にその周期を測定し、復調することを特徴とするＡＴＩＰ信号のＦＭ復調回路。」（請求項１の記載）、
　「【技術分野】本発明は、ＡＴＩＰ信号のＦＭ復調回路に関し、より詳細には、ＣＤ−ＷＯ（Write Once）型の光ディスク原盤露光装置におけるＡＴＩＰ（Absolute Time In Pregroove）信号のＦＭ復調回路に関する。」（段落番号【０００１】）、
　「図１は、本発明によるＡＴＩＰ信号のＦＭ復調回路の一実施例を説明するための構成図で、図中、１はパルス波形整形回路、２はカウンタ・クリアパルス発生回路、３は周期測定用基本クロック発生回路、４は周期測定用カウンタ回路、５はラッチ回路、６はマグニチュードコンパレータ回路、７はプリセット回路である。パルス波形整形回路１は、ＡＴＩＰウォブル信号をパルス波形へ変換する。カウンタ・クリアパルス発生回路２は、周期測定用カウンタをクリアするための信号を発生する。周期測定用基本クロック発生回路３は、周期測定の基本クロックを発生する。周期測定用カウンタ回路４は周期測定用基本クロックをカウントし、周期を測定するためのものである。ラッチ回路５は、周期測定用カウンタ回路４でカウントされたカウントデータをラッチする。マグニチュードコンパレータ回路６は、ラッチ回路５上のデータとプリセットデータの大きさを比較するためのものである。プリセット回路７は、周期比較のためのプリセットデータをセットする。このような構成により、ＦＭ信号の１波長毎にその周期を測定して復調する。」（段落番号【０００７】）、
　「図２（ａ）〜（ｄ）は、図１における各信号を示す図である。周期Ａと周期Ｂの混在したＡＴＩＰ信号ａが本発明のＦＭ復調回路に入力されるとする。信号ａはパルス波形整形回路（２）の処理を経て信号ｂとなる。信号ｂの立ち上りは、周期測定カウントデータのラッチ回路のトリガとなり、カウントデータをラッチする。この立ち上り信号に伴いカウンタークリアパルス発生回路によりカウンタクリアパルスが発生され、周期測定用カウンタ回路は“０”にクリアされる。
　時刻ｔ0で今、カウンタークリアパルスが発生し、カウンタがクリアされる。その直後、周期測定用カウンタ回路は周期測定用基本クロックによりカウントを開始する。カウントは、次の信号ｂの立ち上りまで続き、時刻ｔ1の立ち上りでカウントデータは周期測定カウントデータのラッチ回路にラッチされる。ラッチされたデータは周期測定カウントデータのプリセット回路にセットされたプリセットデータとマグニチュードコンパレータ回路にてその大きさが比較され、その結果が信号ｅとして出力される。ここでプリセット回路にセットされるプリセットデータは、周期測定用基本クロック信号で周期Ａと周期Ｂをカウントした場合の中間のカウント値にセットされる。以後、同様の動作が繰り返され、ＡＴＩＰウォブル信号ａは、ＡＴＩＰ信号の復調データｅへ変換される。」（段落番号【０００９】〜段落番号【００１０】）。
　そうすると刊行物１には以下のような発明が記載されている。
　ＡＴＩＰウォブル信号をパルス波形へ変形するパルス波形整形回路と、周期測定用カウンタをクリアするための信号を発生するカウンタ・クリアパルス発生回路と、周期測定の基本クロックを発生する周期測定用基本クロック発生回路と、周期測定用基本クロックをカウントし、周期を測定するための周期測定用カウンタ回路と、該周期測定用カウンタ回路でカウントされたカウントデータをラッチするラッチ回路と、該ラッチ回路上のデータとプリセットデータの大きさを比較するためのマグニチュードコンパレータ回路と、周期比較のためのプリセットをセットするプリセット回路とから成り、ＦＭ信号の１波長毎にその周期を測定し、復調するようにしたＡＴＩＰ信号のＦＭ復調回路。
４−２．刊行物２（特開平７−２２６６２８号公報）
　「ＦＭ搬送波の周期を逐次計数し、周期値として出力するとともに、リセットされて、次の周期を計数するカウント手段と、
　前記ＦＭ搬送波の周期ごとに入力値を遅延させる遅延手段と、
　前記カウント手段の出力、および、前記遅延手段の出力もしくは前記遅延手段の出力を演算処理した出力を入力として、現在のカウント値よりも前記遅延手段の出力値の方が第１の所定値以上に大きい場合、または、前記遅延手段の出力値よりも前記現在のカウント値の方が第２の所定値以上に大きい場合に、前記現在のカウント値を修正して出力し、前記２つの場合以外では前記現在のカウント値を修正せずに出力するとともに、その出力を前記遅延手段の入力とするカウント値修正手段と、
　前記カウント値修正手段の出力するカウント値を逐次保持して、振幅出力とする保持手段とを備えたＦＭ復調装置。」（請求項１）、
　「【産業上の利用分野】本発明は、光ディスク等に記録されているＦＭ信号を再生し、復調するＦＭ復調装置に関するものである。」（段落番号【０００１】）、
　「３は保持手段であり、カウント手段２の出力を逐次保持するものである。このようにしてカウント手段２から逐次出力される周期値列は、保持手段３で振幅出力とすることにより、ＦＭ復調信号を検出することができることとなる。また、ＦＭ復調信号は、カウント値であるので、ロジック回路などで構成したディジタルフィルタを通すことで平滑化されたＦＭ復調信号を得ることができる。」（段落番号【０００８】）、
　「なお、各実施例でカウント手段２での計数は、ＦＭ搬送波の周期の立ち下がりから、立ち下がりまでとしたが、立ち上がりから、立ち上がりでも、立ち上がりと、立ち下がりを交互に計数しても同等の効果が得られる。
　また、ＦＭ搬送波の立ち上がりと立ち下がりの両方を交互に検出する構成も考えられるので、カウント手段やリセット手段の数にかかわらず、同等の効果が得られる。
　また、保持手段３は、低域通過フィルタをディジタルフィルタ等で構成すれば
保持手段の作用をするので、兼用してもかまわない。」（段落番号【０１０７】〜段落番号【０１０８】）。
　そうすると刊行物２には、以下の発明が記載されている。
　光ディスク等に記憶されているＦＭ信号を再生し、復調するＦＭ復調装置において、
　ＦＭ搬送波の周期を逐次計数し、周期値として出力するとともに、リセットされて、次の周期を計数するカウント手段と、
　前記ＦＭ搬送波の周期ごとに入力値を遅延させる遅延手段と、
　前記カウント手段の出力、および、前記遅延手段の出力もしくは前記遅延手段の出力を演算処理した出力を入力として、現在のカウント値よりも前記遅延手段の出力値の方が第１の所定値以上に大きい場合、または、前記遅延手段の出力値よりも前記現在のカウント値の方が第２の所定値以上に大きい場合に、前記現在のカウント値を修正して出力し、前記２つの場合以外では前記現在のカウント値を修正せずに出力するとともに、その出力を前記遅延手段の入力とするカウント値修正手段と、
　前記カウント値修正手段の出力するカウント値を逐次保持して、振幅出力とする保持手段とを備えた光ディスク等に記憶されているＦＭ信号を再生し、復調するＦＭ復調装置において、
　保持手段をロジック回路などで構成しディジタルフィルタで構成し、該ディジタルフィルタを通すことで平滑化されたＦＭ復調信号を得るようにしたＦＭ復調回路。
４−３．刊行物３（特開平６−１８７６４６号公報）
　「前記トラッキング誤差信号における所定周波数以下の周波数成分のみを出力する第２の低域フィルタと、該第２の低域フィルタから出力される信号レベルと前記トラッキング誤差信号のレベルとを比較し、該比較結果に基づいてトラッキングゼロクロス信号を出力する比較回路とを備えたことを特徴とする光ディスクのトラッキング制御装置。」（請求項１の記載参照）、
　「【産業上の利用分野】本発明は、光ディスクの情報記録再生装置に用いられるトラッキング制御装置に関するものである。」（段落番号【０００１】）、
　「また、トラッキングゼロクロス検出部４０は、比較器４１とローパスフィルタ４２とから構成されている。ローパスフィルタ４２はトラッキング誤差信号ＴＥを入力し、その低周波成分、例えば１０ＫＨｚ以下の周波数成分の電圧Ｖａのみを通過させる。これにより、トラッキング誤差信号ＴＥにおけるオフセット成分のみが抽出される。比較器４１には、ローパスフィルタ４２から出力される電圧Ｖａ及びトラッキング誤差信号ＴＥが入力され、比較器４１においてトラッキング誤差信号ＴＥの電圧と電圧Ｖａとが比較されて、トラッキングゼロクロス信号ＴＺＣが出力される。」（段落番号【００１８】）、
　「従って、図４に示すように、光ディスクの偏芯、スキュー、周囲温度変化等によってトラッキング誤差信号ＴＥのオフセットが変化したり、或いはオフセットにずれが生じた場合にも、比較器４１において比較基準となる電圧Ｖａもトラッキング誤差信号ＴＥのオフセットに対応して変化するので、トラッキングゼロクロス信号ＴＺＣのディユーティーが変化したり、或いはゼロクロスのタイミングを検出できないということがなくなり、常に的確なトラッキングゼロクロス信号ＴＺＣを得ることができる。これにより、トラックジャンプの安定化、ウォブル方式のトラッキングオフ時におけるスピンドルサーボの安定化等を図ることができると共に、スレッドの流れ防止が可能となり、誤動作の無い安定したトラッキング制御を行うことができる。」（段落番号【００１９】）。
　そうすると、刊行物３には、　
　比較器４１には、ローパスフィルタ４２から出力される電圧Ｖａ及びトラッキング誤差信号ＴＥが入力され、比較器４１においてトラッキング誤差信号ＴＥの電圧と電圧Ｖａとが比較されるように構成し、光ディスクの偏芯、スキュー、周囲温度変化等によってトラッキング誤差信号ＴＥのオフセットが変化したり、或いはオフセットにずれが生じた場合にも、比較器４１において比較基準となる電圧Ｖａもトラッキング誤差信号ＴＥのオフセットに対応して変化させてトラッキング制御を行うことが記載されている。
　
５．請求項１に係る発明について
５−１．対比
　ここで請求項１に係る発明と刊行物１に記載された発明とを対比する。
　刊行物１記載の「パルス波形成形回路」、「カウンタ・クリアパルス発生回路」、「周期測定用カウンタ回路」は、それぞれ、請求項１に係る発明の「第１のコンパレータ」、「エッジ検出回路」、「カウンタ」に相当するから、請求項１に発明と刊行物１に記載された発明とは、
　ＦＭ変調された信号を入力し、その信号を基準電圧とを比較し、その比較結果の信号を出力する第１のコンパレータと、
　前記コンパレータから出力される信号のエッジを検出し、その検出したエッジの位置に所定の幅のパルスを出力するエッジ検出回路と、
　一定周期のクロック信号をカウントし、前記エッジ検出回路から出力されるパルスを入力する毎にカウント値を出力するとともにカウント値をクリアするカウンタと、
　を少なくとも備えるＦＭ復調された信号を得るようにした復調回路
　で一致し、以下の点で相違する。
　相違点１：刊行物１記載の発明では、カウンタから出力されるカウント値をラッチするラッチ回路を備えているのに対し、請求項１に係る発明が、「前記カウンタから出力されるカウント値を入力して平均化するデジタルフィルタ」を備えており、刊行物１記載の発明では、そのような構成が示されていない点。
　相違点２：刊行物１記載の発明では、ラッチ回路の出力とプリセットデータとを比較しているのに対し、請求項１に係る発明が「前記デジタルフィルタから出力される値の平均値を検出して出力する平均値検出回路と、前記デジタルフィルタから出力される値と、前記平均値検出回路から出力される平均値とを入力して比較し、その比較結果を出力する第２のコンパレータ」とを備えており、刊行物１記載の発明では、そのような構成が示されていない点。
５−２．判断
　相違点１：ＦＭ復調信号を得る際に、刊行物２には、刊行物１記載のラッチ手段に相当する保持手段において、ディジタルフィルタで構成し平滑することが記載されている。刊行物２の発明もＦＭ復調に関わるものであり、刊行物２記載の発明を刊行物１記載の発明に適用することは、当業者が適宜なし得ることと認められる。
　相違点２：刊行物３は光ディスクのトラッキング処理に関するものであるが、信号を処理する際に、出力された電圧と、該出力された出力電圧をローパスフィルタを介して得られた電圧とを比較することが記載されており、ディジタルで構成した場合、ローパスフィルターはディジタルフィルタとして構成され、該ディジタルフィルタは平滑化する回路であると認められる。そうすると、信号をディジタルフィルタを介して出力することは平滑化、平均化することであり平均値回路を構成することと認められ、信号を処理する際に、入力された信号を平均値回路で平均化した平均信号と、該入力された信号とを、比較するコンパレータのように構成することは、刊行物３に記載された技術事項から当業者が容易になし得ることと認められる。
　
　したがって、本件請求項１に係る発明は、刊行物１〜３に記載された事項に基づいて当業者が容易に発明できたものであるから、本件請求項１に係る発明の特許は、特許法第２９条第２項の規定に違反してされたものである。
　
６．請求項２の発明について
　請求項２に記載された発明と刊行物１に記載された発明を対比する。
　ディジタルフィルタを、カウウント値を複数記憶するレジスタ、及び、レジスタに記憶された複数のカウント値に所定の係数を乗算し、各乗算結果を加算する演算器とで構成したり、デジタルフィルタを用いて高周波分を除去したりするすることは、本願出願前周知な技術事項である。
　請求項２に係る発明は、請求項１に係る発明を引用しており、請求項１に係る発明と刊行物１に記載された発明とは、上記５−１．で述べた点で相違し、その判断は５−２．で述べたとおりである。　　
　
　したがって、本件請求項２に係る発明は、刊行物１〜３に記載された事項及び周知技術事項に基づいて当業者が容易に発明できたものであるから、本件請求項２に係る発明の特許は、特許法第２９条第２項の規定に違反してされたものである。
　
7．むすび
　以上のとおりであるから、本件請求項１及び２に係る発明の特許は、特許法第２９条第２項の規定に違反してなされたものであるから、同法第１１３条第２号に該当し、取り消されるべきものである。
　よって結論のとおり決定する。
【異議決定日】
平成１４年９月３０日（２００２．９．３０）